(57)【要約】【課題】カバー固定個所が目立つことによってカバー付き水栓の外観を悪化させることがなく、またカバー前部に力が上向きに加わった場合にもカバー前部が浮き上りを生じないカバー付き水栓のカバー取付構造を提供する。【解決手段】上面カバー部４８及び前面カバー部５０を有するカバー２０を、上面カバー部４８が水栓本体１４の上面を、前面カバー部５０が水栓本体１４の前面を覆う状態に水栓本体１４に取り付けて成るカバー付き水栓のカバー取付構造であって、カバー２０の前部側に設けた係合部１００を、水栓本体１４の対応する被係合部３６に上向きに係合させるとともに、カバー２０の係合部１００よりも奥側位置に設けた固定部１１２を水栓本体１４の被固定部１１４に固定することで、カバー２０を水栓本体１４に取り付けるようにする。【選択図】        図７
2013181299.tif 000002
【特許請求の範囲】
【請求項１】
上面カバー部及び前面カバー部を有するカバーを、該上面カバー部が水栓本体の上面を、前面カバー部が該水栓本体の使用者側の前面を覆う状態に該水栓本体に取り付けて成るカバー付き水栓のカバー取付構造であって、
前記カバーの前部側に設けた係合部を、前記水栓本体の対応する被係合部に対し上向きに係合させるとともに、
該カバーの該係合部よりも後方側である奥側位置で該カバーを該水栓本体に固定するようになしたことを特徴とするカバー付き水栓のカバー取付構造。
【請求項２】
前記カバーの係合部が前記水栓本体の被係合部の直下に重なる位置で、該水栓本体に対して後方向きに当接し、該カバーを該水栓本体に対して前後方向に位置決めするストッパ部を備えたリブと、
該ストッパ部の後側で前後方向に延び、前記水栓本体に対し下向きに当接して該カバーを該水栓本体に対して上下方向に位置決めし、且つその当接状態を保ちつつ、前記ストッパ部が前記水栓本体から前方に離れた位置と、該水栓本体に後方向きに当接する位置との間で該水栓本体の上面に対して相対摺動し、前記カバーを前後方向にスライドガイドするガイド部を備えたリブとが、
前記上面カバー部の内面から前記水栓本体に向って突出する形態で設けてあることを特徴とする請求項１に記載のカバー付き水栓のカバー取付構造。
【請求項３】
前記水栓本体に設けた第２の被係合部に対して左右方向に係合し、前記カバーを前記水栓本体に対して左右方向に位置決めする第２の係合部を有するリブが、前記上面カバー部の内面から前記水栓本体に向って突出する形態で設けてあることを特徴とする請求項１，２の何れかに記載のカバー付き水栓のカバー取付構造。
【請求項４】
前記上面カバー部の内面から前記水栓本体に向って、且つ該水栓本体の上面との間に所定の微小な隙間を形成する位置まで下向きに突出するリブが設けてあり、該隙間は、前記上面カバー部が下向きに変形を生じたときに該リブが前記水栓本体の上面に当接可能な大きさに設定してあることを特徴とする請求項１〜３の何れかに記載のカバー付き水栓のカバー取付構造。
【請求項５】
前記カバーを、前記前面カバー部，前記上面カバー部及び前記係合部を有し、下面が開放された形態の上カバーと、該上カバーとは別体をなし、前記水栓本体を下側から覆う下カバーとを備えて構成し、該下カバーにて前記係合部を下側から覆う状態で、該下カバーと前記上カバーとのそれぞれを該係合部よりも奥側の位置で前記水栓本体に固定するようになしたことを特徴とする請求項１〜４の何れかに記載のカバー付き水栓のカバー取付構造。
【請求項６】
前記上カバーに備えた固定部と前記下カバーに備えた固定部とが、平面視において前記水栓本体に備えた共通の被固定部と同じ位置に設けてあり、それら上カバーの固定部と下カバーの固定部とを該被固定部に対して共通の固定具にて固定するようになしてあることを特徴とする請求項５に記載のカバー付き水栓のカバー取付構造。
【発明の詳細な説明】
【技術分野】
【０００１】
この発明は、クランク脚付きの壁付きの混合水栓に適用して特に好適なカバー付き水栓のカバー取付構造に関する。
【背景技術】
【０００２】
クランク脚付きの壁付きの混合水栓として、従来、水栓本体の本体ボデーを金属の鋳物製とし、その内部に弁部その他の水栓機構部を内蔵させた形態のものが広く用いられている。
この種の水栓では、壁裏の元配管に接続状態に壁に取り付けた水側及び湯側の一対のクランク脚によって水栓本体を支持することができる。
また水側及び湯側の左右一対のクランク脚を、壁面と平行方向に回転させてその回転角度を調整し、また元配管へのねじ込み量を調節することで、水栓本体を水平姿勢に姿勢調節したり、水栓本体と壁との間隔を左右（使用者から見た正面視において左右）均等にしたり、或いは水栓本体の、左右一対のクランク脚との接続部間の間隔と、壁側の水及び湯の元配管の接続部間との間隔のずれを吸収したりすることができる。
【０００３】
ところで従来の水栓の場合、金属製の鋳物製の本体ボデーがそのまま水栓の外観を成しており、そこで水栓の意匠性を高めるべく、従来にあっては一般に本体ボデー外面にメッキを施して外面を美麗に仕上げることを行っている。
【０００４】
しかしながらこの場合、良好な外観を実現するために本体ボデーに余剰の肉を付けて外面をフラットとし、研磨処理を施した上でメッキ処理することとなるため、本体ボデーが必然的に重くなって施工作業がしづらくなり、また鋳物材料の使用量も多くなるとともに、研磨及びメッキ処理の工程が必要となってコストも高くなってしまう。
【０００５】
また使用者が本体ボデーに触れたときの火傷防止などのために、本体ボデーにウォータージャケット構造を設けて、そこに水を巡らすようにしており、そのウォータージャケット構造のために本体ボデーの構造が複雑化し、また重量も重くなってしまう。
【０００６】
水栓本体をカバーで覆って成るカバー付き水栓では、こうした問題を解決することができる。
具体的にはカバー付き水栓の場合、カバーが水栓の外観を成すために、水栓の本体ボデーに余剰の肉を付けてその外面を凹凸の無いフラットな形に形成してメッキ処理したりしなくても良く、重量を軽量化することができる。
またカバーによって、使用者が直接本体ボデーに触れるのを防ぐことが可能となり、従来本体ボデーに設けていたウォータージャケット構造を省くことも可能となる。
更にカバー付き水栓にあっては、カバーの種類を変えることで様々な外観を水栓に与えることが可能となる。
【０００７】
一方でこのようなカバー付き水栓の場合、水栓本体へのカバーの取付構造が問題となる。
カバー付き水栓では、使用者から見て最も目立ち易い水栓本体の上面と前面とをカバーで覆うようにしてこれを水栓本体に固定するのが望ましいが、その際カバーの固定を使用者に近いカバーの前部側でカバーの外側から行った場合、その固定個所が使用者から見えてしまい、意匠性を悪化させてしまう。
例えば固定手段としてビス止めを行った場合（カバーの固定手段としてはビス止めが一般的である）、カバーのビス孔や固定具としてのビスが使用者から見えてしまい、意匠性を悪化させてしまう。
【０００８】
そこでこれを避けて、ビス止めを使用者から見て後方側の奥側で行うと、ビス孔やビスを目立ち難くできるが、一方でこの場合カバーの前部側が水栓本体に対して非固定となってしまうために、カバーの前部側に上向きの力が加わったときに、カバーの前部側が浮き上ってしまうといった問題を生じる。
【０００９】
尚本発明の先行技術として、下記特許文献１にはクランク脚付きの壁付きの湯水混合水栓から成るカバー付き水栓が開示されている。
但しこの特許文献１にはカバーの取付構造に関して具体的な記述はなされていない。
【先行技術文献】
【特許文献】
【００１０】
【特許文献１】特開２０１１−２１９９５９号公報
【発明の概要】
【発明が解決しようとする課題】
【００１１】
本発明は以上のような事情を背景とし、カバー固定部によってカバー付き水栓の外観を悪化させることがなく、しかもカバーを強固に水栓本体に固定し得て、カバー前部に力が上向きに加わった場合にもカバー前部が浮き上りを生じないカバー付き水栓のカバー取付構造を提供することを目的としてなされたものである。
【課題を解決するための手段】
【００１２】
而して請求項１のものは、上面カバー部及び前面カバー部を有するカバーを、該上面カバー部が水栓本体の上面を、前面カバー部が該水栓本体の使用者側の前面を覆う状態に該水栓本体に取り付けて成るカバー付き水栓のカバー取付構造であって、前記カバーの前部側に設けた係合部を、前記水栓本体の対応する被係合部に対し上向きに係合させるとともに、該カバーの該係合部よりも後方側である奥側位置で該カバーを該水栓本体に固定するようになしたことを特徴とする。
【００１３】
請求項２のものは、請求項１において、前記カバーの係合部が前記水栓本体の被係合部の直下に重なる位置で、該水栓本体に対して後方向きに当接し、該カバーを該水栓本体に対して前後方向に位置決めするストッパ部を備えたリブと、該ストッパ部の後側で前後方向に延び、前記水栓本体に対し下向きに当接して該カバーを該水栓本体に対して上下方向に位置決めし、且つその当接状態を保ちつつ、前記ストッパ部が前記水栓本体から前方に離れた位置と、該水栓本体に後方向きに当接する位置との間で該水栓本体の上面に対して相対摺動し、前記カバーを前後方向にスライドガイドするガイド部を備えたリブとが、前記上面カバー部の内面から前記水栓本体に向って突出する形態で設けてあることを特徴とする。
【００１４】
請求項３のものは、請求項１，２の何れかにおいて、前記水栓本体に設けた第２の被係合部に対して左右方向に係合し、前記カバーを前記水栓本体に対して左右方向に位置決めする第２の係合部を有するリブが、前記上面カバー部の内面から前記水栓本体に向って突出する形態で設けてあることを特徴とする。
【００１５】
請求項４のものは、請求項１〜３の何れかにおいて、前記上面カバー部の内面から前記水栓本体に向って、且つ該水栓本体の上面との間に所定の微小な隙間を形成する位置まで下向きに突出するリブが設けてあり、該隙間は、前記上面カバー部が下向きに変形を生じたときに該リブが前記水栓本体の上面に当接可能な大きさに設定してあることを特徴とする。
【００１６】
請求項５のものは、請求項１〜４の何れかにおいて、前記カバーを、前記前面カバー部，前記上面カバー部及び前記係合部を有し、下面が開放された形態の上カバーと、該上カバーとは別体をなし、前記水栓本体を下側から覆う下カバーとを備えて構成し、該下カバーにて前記係合部を下側から覆う状態で、該下カバーと前記上カバーとのそれぞれを該係合部よりも奥側の位置で前記水栓本体に固定するようになしたことを特徴とする。
【００１７】
請求項６のものは、請求項５において、前記上カバーに備えた固定部と前記下カバーに備えた固定部とが、平面視において前記水栓本体に備えた共通の被固定部と同じ位置に設けてあり、それら上カバーの固定部と下カバーの固定部とを該被固定部に対して共通の固定具にて固定するようになしてあることを特徴とする。
【発明の作用・効果】
【００１８】
以上のように本発明は、カバーの前部側に設けた係合部を、水栓本体の対応する被係合部に対し上向きに係合させるとともに、その係合部よりも奥側位置でカバーを水栓本体に固定し取り付けるようになしたものである。
【００１９】
かかる本発明によれば、カバーを外観上目立ち難い位置で水栓本体に固定することができ、カバーの固定個所が目立つことによって水栓の外観を悪化させてしまうのを避けることができる。
【００２０】
一方でカバーの前部側に設けた係合部を、水栓本体の対応する被係合部に上向きに係合させるようにしているため、カバーの前部側に上向きの力が加わった場合においても、カバーの前部側が浮き上りを生じるのを防ぐことができる。
【００２１】
次に請求項２は、カバーの係合部が水栓本体の被係合部の直下に重なる位置で水栓本体に対して後方向に当接し、カバーを水栓本体に対して前後方向に位置決めするストッパ部を備えたリブと、そのストッパ部の後側で前後方向に延び、水栓本体に対し下向きに当接してカバーを水栓本体に対して上下方向に位置決めし、且つその当接状態を保ちつつ、ストッパ部が水栓本体から前方に離れた位置と、水栓本体に後方向きに当接する位置との間で水栓本体の上面に対して相対摺動し、カバーを前後方向にスライドガイドするガイド部を備えたリブとを、上面カバー部の内面から水栓本体に向って突出する状態で設けたもので、この請求項２によれば、カバーを水栓本体の上面に載せて上記のガイド部を水栓本体の上面に当て、その状態でカバーを水栓本体に対して後方にスライド移動させることで、ストッパ部を水栓本体に当接させ、カバーを水栓本体に対して前後方向に位置決めすることができる。
【００２２】
このとき、カバーに設けた係合部は、水栓本体に対するカバーの相対的な後方移動により、最終的に水栓本体の被係合部の直下に位置して被係合部に対し係合する状態となる。
ここにおいてカバーを水栓本体に固定することで、カバーの係合部を水栓本体の被係合部に上向きに係合させる状態でカバーを水栓本体に取り付けることができ、そしてそれらの係合によってカバー前部の浮き上りを防止することができる。
従ってこの請求項２によれば、水栓本体に対するカバーの取付けを極めて簡単に行うことができる。
ここで上記ストッパ部を備えたリブと、上記ガイド部を備えたリブとは別々のリブとしておくこともできるが、同一のリブとしておくことができる。
【００２３】
次に請求項３は、水栓本体に設けた第２の被係合部に対して左右方向に係合し、カバーを水栓本体に対して左右方向に位置決めする第２係合部を有するリブを、前記上面カバー部の内面から水栓本体に向って突出する形態で設けたもので、この請求項３によれば、カバーを水栓本体に組み付けるに際して、カバーに設けた第２の係合部と水栓本体に設けた第２の被係合部との係合によって、カバーを容易に水栓本体に対し左右方向に位置決めすることができる。
【００２４】
ここで第２の係合部を備えたリブは、上記のストッパ部を備えたリブ，ガイド部を備えたリブとは別々のリブとしておくこともできるが、ストッパ部を備えたリブとガイド部を備えたリブとが別々のリブである場合において、何れか一方のリブと同じリブとなしておくこともできるし、或いはストッパ部を備えたリブとガイド部を備えたリブとが同一のリブである場合において、かかる第２の係合部を備えたリブもまた同一のリブとしておくことができる。
【００２５】
次に請求項４は、上面カバー部の内面から水栓本体に向って且つ水栓本体の上面との間に隙間形成する位置まで下向きに突出するリブを設け、そしてその隙間を、上面カバー部が下向きに変形を生じたときに、リブが水栓本体の上面に当接可能な大きさで設定したものである。
この請求項４のリブは、上記のガイド部を有するリブとは別途に且つ別の個所に設けることとなる。
【００２６】
この請求項４によれば、水栓本体に対して上方に離隔した位置にある上面カバー部に下向きの力が加わり、上面カバー部が大きく撓んだり変形しようとしても、当初水栓本体との間に隙間形成していたリブが水栓本体に当ることによって、上面カバー部の過度の変形を良好に防止することができる。
【００２７】
尚、上面カバー部に上記のガイド部を有するリブが設けてある場合には、そのガイド部を有するリブが、カバー組付状態で水栓本体に対し下向きに当接した状態にある。
従ってこのガイド部を有するリブを設けた近傍個所においては、上面カバー部が下向きに変形するのが抑制される。
但しこのようなガイド部を有するリブから離れた個所においては、上面カバー部が水栓本体側に大きく変形する恐れがある。
従ってこの請求項４のリブは、上面カバー部の部分的な変形が大きく生じ易い個所に設けておくことが効果的である。
【００２８】
次に請求項５は、カバーを上カバーと下カバーを備えて構成し、そしてその下カバーにて上記係合部を下側から覆う状態で、下カバーと上カバーとのそれぞれを係合部よりも奥側の位置で水栓本体に固定するようになしたもので、この請求項５によれば、係合部を下カバーにて覆い隠すことができ、従ってその係合部が外観に現れてしまうのを防ぐことができる。そのことによってカバー付き水栓の美観を一層良好とすることができる。
【００２９】
この場合において、上カバーに備えた固定部と下カバーに備えた固定部とを、平面視において水栓本体に備えた共通の被固定部と同じ位置に設けておき、それら上カバーの固定部と下カバーの固定部とを、水栓本体の被固定部に対し、共通の固定具にて固定するようになしておくことができる（請求項６）。
このようにすれば上カバー，水栓本体，下カバーの３者の固定を簡単に行うことができ、且つそれらの固定個所（平面視における固定個所）を１個所とすることができる。即ち外観の悪化に繋がる固定個所を最小限とすることができる。
【００３０】
この場合において、水栓本体の被固定部を上カバーの固定部と下カバーの固定部とで挟み付けるようにして固定を行うようになすことができる。
また固定具としてビスを用い、そのビスのねじ込みによって上カバーの固定部，水栓本体の被固定部，下カバーの固定部をビス止めすることができる。この場合、ビスのねじ込みによって上カバーと水栓本体と下カバーとを同時に固定することができる。
本発明は、クランク脚付きの壁付きの混合水栓に好適に適用することができる。
【図面の簡単な説明】
【００３１】
【図１】本発明の一実施形態のクランク脚付きのカバー付き水栓の外観斜視図である。
【図２】図１とは異なる方向で示したカバー付き水栓の外観斜視図である。
【図３】図１のカバー付き水栓の底面図である。
【図４】図１，図２とは異なる方向で示したカバー付き水栓の外観斜視図である。
【図５】図１のカバー付き水栓を、カバーを除いた状態で示した図である。
【図６】図１のカバー付き水栓における本体ボデーにクランク脚を接続した状態を示した図である。
【図７】図１のカバー付き水栓のカバーを分解して水栓本体とともに示した図である。
【図８】図１のカバー付き水栓における上カバーを示した図である。
【図９】図１のカバー付き水栓における下カバーを示した図である。
【図１０】図１のカバー付き水栓における隙間カバーを示した図である。
【図１１】図１の上カバーと隙間カバーとを組付状態で示した図である。
【図１２】図１のカバー付き水栓の施工手順の説明図である。
【図１３】図１２に続く施工手順の説明図である。
【図１４】図１３に続く施工手順の説明図である。
【図１５】図１のカバー付き水栓における隙間カバーの作用説明図である。
【発明を実施するための形態】
【００３２】
次に本発明の実施形態を図面に基づいて詳しく説明する。
図１〜図４において、１０はクランク脚を備えた壁付きのカバー付き水栓（混合水栓）で、図７に示しているようにハウジングをなす本体ボデー１２の内部に温調弁ユニット，切替弁ユニットその他の水栓機構部を内蔵した水栓本体１４と、壁Ｗ（図５参照）裏に配管された給水用の元配管，給湯用の元配管からの水，湯をそれぞれ水栓本体１４に供給する給水用の配管，給湯用の配管を兼ねた水側のクランク脚１６，湯側のクランク脚１８と、それらを全体的に囲い込むカバー（ここでは樹脂製）２０を含んで構成されている。
ここで本体ボデー１２は金属の鋳物から成っている。但し外面の研磨及びメッキ処理は施されておらず、外面は鋳肌そのままとなっている。
【００３３】
クランク脚１６，１８は、図６，図７及び図４，図５に示しているように壁Ｗ裏の元配管にシール状態にねじ接続されて、壁Ｗから水平方向に突き出す雄ねじ管から成る管体２２と、これから壁面と平行方向に直角に折れ曲った管体２４とを有しており、その管体２４の先端部に袋ナット２６が設けられている。
ここで水側のクランク脚１６及び湯側のクランク脚１８における一対の管体２４は、正面視においてハ字状をなしている。
そしてこの袋ナット２６により管体２４の先端部が水栓本体１４、詳しくは本体ボデー１２に備えられた、外周面に雄ねじを有する水側，湯側の接続口２８にねじ接続されている。
尚図３，図６において、３０は壁Ｗ裏の元配管とクランク脚１６の管体２２との接続部を覆って隠蔽する椀座である。
【００３４】
一方、本体ボデー１２の前部からはカラン側の吐水口３２が下向きに突出しており、また図５にも示しているようにその背面からは、シャワー水をシャワーホースを介してシャワーヘッドに吐水するシャワーエルボ３４が下向きに突出している。
尚、カラン側の吐水口３２の先端部には雄ねじ部が設けられていて、そこにキャップ３５（図２参照）が螺着されている。
本体ボデー１２にはまた、左右方向（使用者からの正面視における左右方向）の中央部の前面に、その前面から前方に部分的に突出するブロック状の被係合部３６が一体に設けられている。
この被係合部３６には、その下面で開口する雌ねじ穴３７が上下向きに設けられている。
【００３５】
この本体ボデー１２を含む水栓本体１４の左端側（使用者からの正面視において左端側）には温調ハンドル３８が、また右端側には切替ハンドル４０がそれぞれ回転操作可能に取り付けられており、これら温調ハンドル３８，切替ハンドル４０が、図１及び図２に示すようにカバー２０から左右方向に突出せしめられている。
ここで温調ハンドル３８は、回転操作によって吐水の温度調節を行う。また切替ハンドル４０は、回転操作によってカラン側の吐水口３２からの吐水と、シャワーエルボ３４からの吐水との切替えを行うとともに、カラン側の吐水口３２及びシャワーエルボ３４からの吐水の流量調節と吐止水とを行う。
【００３６】
カバー２０は、図７に示しているように水栓本体１４に下向きに被せられて、これを上側から覆う本体カバーとしての上カバー４２と、水栓本体１４を下側から覆う蓋カバーとしての下カバー４４と、更に補助的なカバーとして上カバー４２と壁Ｗとの間の隙間を閉じる隙間カバー４６とを有している。
【００３７】
上カバー４２は、略水平方向に平坦な板状の上面カバー部４８と、上面カバー部４８の前端から下向きに折れ曲った板状の前面カバー部５０と、上面カバー部４８の左右の各一端から下向きに立ち下がった一対の板状の側面カバー部５２とを有する、下面が開放された箱型形状とされており、その上面カバー部４８によって、水側及び湯側の一対のクランク脚１６，１８ごと水栓本体１４を上側から覆い、また前面カバー部５０によって水栓本体１４を前側から覆い、更に一対の側面カバー部５２によって、一対のクランク脚１６，１８ごと水栓本体１４を側方から覆っている。
ここで一対の側面カバー部５２には、温調ハンドル３８と切替ハンドル４０とを突出させるための逆Ｕ字状の切欠部５４が設けられている。
【００３８】
前面カバー部５０は、図７，図８及び図１，図２に示すように上部５６と下部５８とを有している。
上部５６は、下方に進むにつれて前方に迫り出す湾曲形状とされており、また下部５８は、下方に進むにつれて水栓本体１４側に後向きに移行する傾斜形状とされている。
図１２に示しているようにこの傾斜形状の下部５８は、その下端が水栓本体１４、詳しくは本体ボデー１２の下端に近い位置まで下向きに延び出している。
【００３９】
一方下カバー４４は、図７及び図９に示すように略水平方向に延びる平坦な板状の下面カバー部６０を有しており、一対のクランク脚１６，１８ごと水栓本体１４を下側から覆っている。
尚下カバー４４は、その前端部が斜め上向きに湾曲して延びており、その湾曲部６２が上カバー４２の前面カバー部５０、詳しくはその下部５８の下端に繋がっている。
下カバー４４はまた、水栓本体１２の前部の側面の一部を覆う左右一対の起立部６４を有している。
【００４０】
これら一対の起立部６４には、温調ハンドル３８，切替ハンドル４０を突出させるための円弧状の切欠部６６が設けられている。
尚この下カバー４４の下面カバー部６０には、図９にも示しているように水栓本体１４の上記のカラン側の吐水口３２を下向きに突出させるための円形且つ貫通の開口部６８と、シャワーエルボ３４を下向きに突出させるための長円形状の貫通の開口部７０とが設けられている。
【００４１】
この下カバー４４の下面カバー部６０は、一対のクランク脚１６，１８における管体２２の上部の高さ位置で、水栓本体１４を下側から覆う主部６０Ａと、一対のクランク脚１６，１８を下側から覆う脚カバー部６０Ｂとを有している。
脚カバー部６０Ｂは、図２に示しているように下向きに湾曲して突出した逆ブリッジ状をなしており、管体２２に組み込まれた止水栓の回転式の操作部７２、及びストレーナを脱着操作するための回転式の操作部７４を操作するための開口部７６をその前端位置に形成している。
ここで開口部７６は、使用者側の前方に向けて開口した正面方向の開口部とされている。
【００４２】
上記隙間カバー４６は、図７及び図１０に示しているように板状をなす平坦な上面閉鎖部７８と、一対の側面閉鎖部８０とを有している。
隙間カバー４６はまた、これら上面閉鎖部７８及び側面閉鎖部８０から前方に延出し、図７に示すように上カバー４２における一対の側面カバー部５２の内側に突設された４角筒状の支持部８４に対して前後方向にスライド可能に外嵌状態に嵌合し、かかる支持部８４にて支持される、横断面形状が略コ字形状をなす被支持部８６を有している。
【００４３】
本実施形態のカバー付き水栓１０を現場設置する際、上カバー４２と壁Ｗとの間に施工上隙間が生じてしまう。
この隙間カバー４６はその隙間を埋め、閉鎖する働きを有するもので、この隙間カバー４６を上カバー４２による、具体的にはその支持部８４による支持の下で、図１１に示すように後方にスライド移動させ、壁Ｗに当てることで上カバー４２と壁Ｗとの間の隙間を閉鎖することができる。
【００４４】
尚その際、隙間カバー４６は壁Ｗに当るまで後方移動させられた後、被支持部８６に設けた図１０の長穴状の挿通部８８及び上カバー４２の支持部８４の挿通孔９４を通じて図１１に示すボルト９０を上向きに挿通し、そして支持部８４内部においてナット９２にねじ込むことで、隙間カバー４６が壁Ｗへの当接状態で上カバー４２に固定される。
尚このとき、下カバー４４もまた上カバー４２，隙間カバー４６とともに同時に固定される。
詳しくは、図７及び図９に示しているように下カバー４４からは、下端が開口し上端に底部を有する有底の円筒状の固定部９６が立ち上っており、上記ボルト９０は、図１１に示すようにこの円筒状の固定部９６の下端の開口からその内部に挿入された上、上端の底部に設けた挿通孔９８，上記の挿通部８８，挿通孔９４に挿通された上、ナット９２にねじ込まれ、これにより隙間カバー４６が上カバー４２と下カバー４４とに対して同時に固定される。
【００４５】
図８に示しているように、上カバー４２には、左右方向の略中央部において前面カバー部５０から、詳しくはその下部５８から後方に突出する板状の係合部１００が設けられている。
係合部１００は、水栓本体１４の上記の被係合部３６の直下に位置して、被係合部３６に対し上向きに係合せしめられており、上カバー４２の前部に上向きの力が加わった場合においても、それらの係合作用により、上カバー４２の前部が浮上り防止されている。
この板状の係合部１００は、左右の両端面が３角形状の補強リブ１０４にて前面カバー部５０における下部５８の内面に連結されており、この補強リブ１０４によって係合部１００が強度補強されている。
【００４６】
この実施形態では、係合部１００に貫通の挿通孔１０６が設けられており、図１３及び図１４に示しているようにこの挿通孔１０６を挿通してビス１０８が、水栓本体１４の被係合部３６の開口から内部の雌ねじ穴３７にねじ込まれることで、係合部１００が水栓本体１４の前部に固定されている。
但し係合部１００の主たる働きは水栓本体１４の被係合部３６に上向きに係合して、上カバー４２前部の浮上り防止することにあり、従ってビス１０８による固定は省くことが可能である。
【００４７】
上カバー４２にはまた、上記の係合部１００よりも壁Ｗ側の奥側位置において、図７及び図８に示しているように上面カバー部４８の内面（下面）から立ち下る円筒状の一対の固定部１１２が左右両側位置に設けられている。
一方水栓本体１４、詳しくは本体ボデー１２には、平面視において対応する左，右位置に、詳しくは組付状態で固定部１１２と上下に対向する位置に一対の鍔状の被固定部１１４が一体に設けられている。
これら被固定部１１４には貫通の挿通孔１１６が設けられている。
上カバー４２は、一対の固定部１１２において水栓本体１４の対応する一対の被固定部１１４に固定されている。
【００４８】
詳しくは、図１４に示しているように円筒状の固定部１１２の内部には、円筒状の雌ねじ金具１１８が埋め込まれており、そこにビス１２０が、被固定部１１４の挿通孔１１６を挿通してねじ込まれることで、かかるビス１２０によって固定部１１２と被固定部１１４とがねじ締結され、固定されている。
この実施形態では、下カバー４４もまた、図７及び図９に示す固定部１２２において、水栓本体１４の被固定部１１４に対し、上カバー４２とともに固定されている。
【００４９】
詳しくは、下カバー４４は、上カバー４２の上記の係合部１００を下側から覆う状態に、水栓本体１４に対して下側から上向きに被せられており、この下カバー４４には、その係合部１００よりも奥側の位置、詳しくは組付状態で上カバー４２の固定部１１２及び水栓本体１４の被固定部１１４に対して上下に対向する直下の位置に、円筒状の固定部１２２が設けられている。
【００５０】
この下カバー４４の円筒状の固定部１２２は、その下端が開口し上端に底部１２４（図１４参照）を有する有底円筒状をなしており、図１４に示すようにこの固定部１２２の下端の開口からビス１２０を上向きに挿入し、更に底部１２４の挿通孔１２６及び被固定部１１４の挿通孔１１６を挿通して、上カバー４２の固定部１１２の内部の雌ねじ金具１１８にねじ込むことで、上カバー４２の固定部１１２と下カバー４４の固定部１２２とが、被固定部１１４を上下両側から挟み込む状態に、被固定部１１４に同時に固定されている。
即ち上カバー４２と下カバー４４とが、共通の１つのビス１２０によって水栓本体１４に同時に固定されている。
【００５１】
上カバー４２にはまた、左右両端に近い位置で、上面カバー部４８の内面（下面）から水栓本体１４に向けて下向きに突出する一対の板状のリブ１２８が設けられており、またそれらリブ１２８の内側位置において、上面カバー部４８の内面から下向きに突出する一対の板状のリブ１３０が設けられている。
【００５２】
図１２に示すように、左右方向の両外側の一対のリブ１２８は、図６及び図７に示す水栓本体１４の左右両端部のフランジ部（第２の被係合部）１３２に対して左右方向の両外側から係合し、上カバー４２を水栓本体１４に対して左右方向に位置決めする働きを有している。
尚下カバー４４においても、水栓本体１４の上記のフランジ部１３２に対して左右方向の両外側から係合し、下カバー４４を水栓本体１４に対して左右方向に位置決めするリブ１３８（図７，図９参照）が、下カバー４４の内面から水栓本体１４に向けて上向きに突出する状態に設けられている。
また下カバー４４には、上カバー４２の側面カバー部５２の内面に嵌合して、下カバー４４と上カバー４２との組付けの左右方向位置を規定するリブ１４８が、起立部６４とは段違い形状で設けられている。
【００５３】
上記一対のリブ１２８は、水栓本体１４、詳しくは本体ボデー１２の外周形状に対応した形状で湾曲する湾曲形状のストッパ部１３４を有している。
これらストッパ部１３４は、図１２（Ｂ）に示しているように水栓本体１４における本体ボデー１２の前面に当接して、上カバー４２を水栓本体１４に対して前後方向に位置決めする働きをなす。
これら一対のリブ１２８はまた、ストッパ部１３４の後側で前後方向に延び、水栓本体１４に対して下向きに当接するガイド部１３６を有している。
【００５４】
これらガイド部１３６は、上カバー４２を水栓本体１４に対して上下方向に位置決めする働きを有し、またその当接状態を保ちつつ、ストッパ部１３４が水栓本体１４から前方に離れた位置と、水栓本体１４に後方向きに当接する位置との間で水栓本体１４の上面に対して相対摺動し、上カバー４２を前後方向にスライドガイドするガイド部としての働きを有している。
これらリブ１２８におけるストッパ部１３４，ガイド部１３６の詳細な作用については後述する。
【００５５】
一方、左右方向の内側位置の一対のリブ１３０は、水栓本体１４に対する上カバー４２の取付状態の下で、水栓本体１４の上面、詳しくは図５及び図７に示す水栓本体１４の被当接部１４２の上面との間に、図１３に示す所定の微小な隙間を形成する状態でかかる被当接部１４２に下向きに対向する当接部１４０を有している。
これら当接部１４０は、上カバー４２の上面カバー部４８に対して下向きの力が加わったとき、水栓本体１４の被当接部１４２に当接して、上面カバー部４８の更なる変形を抑制するように働く。
従って、ここでは当接部１４０と被当接部１４２との間の隙間は、上面カバー部４８に下向きの力が加わって変形開始したときに、当接部１４０が被当接部１４２に当ることができるように微小な隙間に設定してある。
【００５６】
上記各一対のリブ１２８，１３０は何れも前後方向に延びる形態で設けられているが、上カバー４２の上面カバー部４８の内面には、左右方向に延びる形態でリブ１４４が設けられている。
更に前後方向に延びるリブ１２８，１３０に続いて、前面カバー部５０に沿って延びるリブ１４６が設けられている。
これら複数のリブ１２８，１３０，１４４，１４６は、樹脂製且つ板状の上カバー４２の各部を補強する働きをなしている。
尚本実施形態のカバー付き水栓では、図１４に示しているように上カバー４２の上面カバー部４８，前面カバー部５０、更に下カバー４４の下面カバー部６０が、水栓本体１４から離隔した状態で水栓本体１４を囲い込んでおり、それら各カバー部と水栓本体１４との間に空間を形成している。そしてその空間により断熱効果をもたせている。
【００５７】
次に本実施形態のカバー付き水栓の施工手順を、各要部の作用とともに以下に説明する。
本実施形態のカバー付き水栓を設置現場で設置施工する際には、先ず一対のクランク脚１６，１８を、雄ねじ管から成る管体２２を壁Ｗ裏の元配管に対しねじ込むことでそれら元配管に接続し、壁Ｗに取り付ける。
その後、予め壁Ｗから前方に退避させていた椀座３０を壁Ｗ側にねじ込んで（椀座３０の内周面には雌ねじが設けてある）、椀座３０を壁Ｗに当接させ、その椀座３０によってクランク脚１６，１８と対応する元配管との接続部を隠蔽する。
その後、図６に示しているように水栓本体１４を、一対の接続部２８において一対のクランク脚１６，１８の管体２４の端部に袋ナット２６にて接続する。
ここにおいて水栓本体１４が壁Ｗに取り付いた状態となる。
【００５８】
本実施形態においては、その後においてカバー２０を水栓本体１４に固定し、取り付けることとなる。
その際、先ず上カバー４２を、隙間カバー４６を支持した状態で水栓本体１４に対して上側から下向きに被せ、水栓本体１４に取り付ける。
このとき、上カバー４２の係合部１００が、図１２（Ａ）に示しているように水栓本体１４よりも前方に位置するようにして、上カバー４２を水栓本体１４に下向きに被せる。
係合部１００が水栓本体１４よりも前方に位置していないと、上カバー４２を水栓本体１４に被せる際に、係合部１００が水栓本体１４と干渉してしまうため、良好に上カバー４２を水栓本体１４に被せることができない。
【００５９】
さてこのようにして係合部１００が水栓本体１４よりも前方に位置するようにして上カバー４２を水栓本体１４に被せたとき、図１２（Ａ）に示すように上カバー４２の左右一対のリブ１２８に設けた湾曲形状のストッパ部１３４が、水栓本体１４の前面から前方に離れて位置した状態となる。
そしてリブ１２８に備えたガイド部１３６が、水栓本体１４の上面に下向きに当接し、その当接作用によって上カバー４２が隙間カバー４６とともに水栓本体１４にて支持された状態となる。
尚このとき、図１２（Ａ）に示しているように上カバー４２の固定部１１２もまた、水栓本体１４の対応する被固定部１１４に対し前方に離隔して位置した状態となる。
【００６０】
そこで次に上カバー４２を壁Ｗに向って後方に押し込む。
このとき、一対のリブ１２８のガイド部１３６が、水栓本体１４の上面への当接状態を保ちつつ、水栓本体１４に対して相対的に摺動し、そして一定量上カバー４２を押し込むと、リブ１２８に設けた湾曲形状のストッパ部１３４が、水栓本体１４の前面に当接してストッパ作用し、ここにおいて上カバー４２の押込端が規定される。即ち上カバー４２が、水栓本体１４に対して前後方向に位置決めされる（図１２（Ｂ））。
【００６１】
上カバー４２に設けた係合部１００及び固定部１１２は、上カバー４２の押込みに伴って後方に一体に移動し、そしてストッパ部１３４が水栓本体１４の前面に当って、上カバー４２が水栓本体１４に対して前後方向に位置決めされたところで、係合部１００が水栓本体１４の被係合部３６の直下に位置して、被係合部３６に対し上向きに係合する状態となり、また上カバー４２の固定部１１２が、図１２（Ｂ）に示しているように水栓本体１４の被固定部１１４の真上に位置して、被固定部１１４に対し上下に対向した状態となる。
【００６２】
そこで次に、図１３に示しているように、ビス１０８を上カバー４２の係合部１００の挿通孔１０６から、水栓本体１４の被係合部３６の雌ねじ穴３７にねじ込んで、上カバー４２を水栓本体１４に対して固定（仮固定）する。
以上のようにして上カバー４２を水栓本体１４に下向きに被せ、仮固定したら、次に図１３に示しているように下カバー４４を水栓本体１４に対して下側から上向きに被せ、水栓本体１４に固定する。
【００６３】
このときの下カバー４４の水栓本体１４への固定は次のようにして行う。
即ち、下カバー４４の円筒状の固定部１２２の下端の開口から、図１４に示しているようにビス１２０を固定部１２２内に挿入し、更に続いてビス１２０を固定部１２２の挿通孔１２６，水栓本体１４の被固定部１１４の挿通孔１１６を挿通して、上カバー４２の円筒状の固定部１１２内の雌ねじ金具１１８にねじ込む。
ここにおいて上カバー４２の固定部１１２と、下カバー４４の固定部１２２とが、水栓本体１４の被固定部１１４を上下両側から挟み込んだ状態に、それら３者がねじ締結され、固定される。
即ち上カバー４２と、水栓本体１４と、下カバー４４との３者が同時固定される。
【００６４】
ここにおいて上カバー４２の係合部１００が下カバー４４にて下側から覆われ、また水栓本体１４及び一対のクランク脚１６，１８の全体が、上カバー４２と下カバー４４とで囲い込まれた状態となり、それらがカバー２０の内部に隠れた状態となる。
このとき、上カバー４２と壁Ｗとの間には施工上隙間が生じる。
例えば、図１５（Ｂ），（Ｃ）に示しているようにカバー付き水栓１０を壁Ｗに取り付けるに際して、クランク脚１６，１８のねじ込み量のばらつきによって、上カバー４２と壁Ｗとの間に隙間が生じ且つその隙間の大きさも様々となる。
【００６５】
そこで次に、隙間カバー４６を壁Ｗ側にスライド移動させてその隙間を隙間カバー４６にて閉鎖する。
その作業は次のようにして行う。
即ち、隙間カバー４６を後向きに押してこれを壁Ｗに当接させ、その状態で、下カバー４４の円筒状の固定部９６の下端の開口から図１１に示すボルト９０を挿入し、そしてボルト９０を固定部９６の上端の挿通孔９８及び隙間カバー４６の被支持部の挿通部８８、上カバー４２の支持部８４の挿通孔９４に上向きに挿通し、そして支持部８４内部のナット９２に対してねじ込むことで、隙間カバー４６が上カバー４２及び下カバー４４に対してしっかりと固定された状態となる。
【００６６】
以上のような本実施形態によれば、上カバー４２を下カバー４４とともに外観上目立ち難い位置で水栓本体１４に固定することができ、カバーの固定個所が目立つことによって水栓１０の外観を悪化させてしまうのを避けることができる。
一方で上カバー４２の前部側に設けた係合部１００を、水栓本体１４の対応する被係合部３６に上向きに係合させるようにしているため、上カバー４２の前部側に上向きの力が加わった場合においても、上カバー４２の前部側が浮き上りを生じるのを防ぐことができる。
【００６７】
また本実施形態によれば、上カバー４２に設けたリブ１２８による上カバー４２の水栓本体１４に対する左右方向の位置決め機能及び上下方向の位置決め機能，リブ１２８に設けたストッパ部１３４のストッパ作用，同じくリブ１２８に設けたガイド部１３６のガイド機能によって、上カバー４２を水栓本体１４に対して簡単な作業で容易に固定し、取り付けることができる。
【００６８】
また上カバー４２に設けたリブ１３０の水栓本体１４に対する当接作用によって、上カバー４２の上面カバー部４８に下向きの力が加わった場合においても、上面カバー部４８の撓みないし変形を良好に抑制することができる。
【００６９】
更に本実施形態では、上カバー４２に加えて下カバー４４を設け、その下カバー４４によって水栓本体１４及びクランク脚１６，１８を下側から覆うようにしているため、水栓本体１４及びクランク脚１６，１８の全体を、上カバー４２と下カバー４４とで囲い込むことができ、水栓１０の外観，意匠性を高めることができる。
【００７０】
また上カバー４２と下カバー４４とを、平面視において同じ位置に設けた上カバー４２の固定部１１２と、下カバー４４に設けた固定部１２２と、水栓本体１４の被固定部１１４とにおいて、共通のビス１２０にて固定するようにしているため、上カバー４２を水栓本体１４に固定するのに加えて、下カバー４４を水栓本体１４に固定することにより、ビス止め個所が多くなってしまうといったことがなく、同一のビス止め個所で上カバー４２と下カバー４４とを併せて水栓本体１４に固定することができる。
【００７１】
また共通のビス１２０によって上カバー４２と下カバー４４とを水栓本体１４に固定するため、ビス１２０による固定作業も少ない工数で簡単に行うことができる。
【００７２】
以上本発明の実施形態を詳述したがこれはあくまで一例示である。
例えば本発明は下カバーを用いず、上カバーだけで全体のカバーを構成することも可能であるし、また本発明はクランク脚を有しない水栓に対して適用することも可能である等、本発明はその趣旨を逸脱しない範囲において種々変更を加えた形態で構成可能である。
【符号の説明】
【００７３】
１０  カバー付き水栓
１４  水栓本体
２０  カバー
３６  被係合部
４２  上カバー
４４  下カバー
４８  上面カバー部
５０  前面カバー部
６０  下面カバー部
１００  係合部
１１２，１２２  固定部
１２８，１３０，１３８  リブ
１３４  ストッパ部
１３６  ガイド部
【図１】
2013181299.tif 000003
【図２】
2013181299.tif 000004
【図３】
2013181299.tif 000005
【図４】
2013181299.tif 000006
【図５】
2013181299.tif 000007
【図６】
2013181299.tif 000008
【図７】
2013181299.tif 000009
【図８】
2013181299.tif 000010
【図９】
2013181299.tif 000011
【図１０】
2013181299.tif 000012
【図１１】
2013181299.tif 000013
【図１２】
2013181299.tif 000014
【図１３】
2013181299.tif 000015
【図１４】
2013181299.tif 000016
【図１５】
2013181299.tif 000017